(57)【要約】【課題】閉鎖性水域に汚濁水が流入することを防止するために用いて好適な汚水流入防止装置を提供する。【解決手段】水面に浮かぶ浮島１と、浮島１に上端側を固着して水中に配設される水中カーテン２と、水中カーテン２の下端側を水底側に配した状態で保持するための水中カーテン下部保持手段３と、浮島１を牽引し、水中カーテン２で汚水の流入口４を遮断又は解放するように移動させる牽引手段とを備える。【選択図】図２
2017087148.tif 000002
【特許請求の範囲】
【請求項１】
水面に浮かぶ浮島と、
前記浮島に上端側を固着して水中に配設される水中カーテンと、
前記水中カーテンの下端側を水底側に配した状態で保持するための水中カーテン下部保持手段と、
前記浮島を牽引し、前記水中カーテンで汚水の流入口を遮断又は解放するように移動させる牽引手段とを備えることを特徴とする汚水流入防止装置。
【発明の詳細な説明】
【技術分野】
【０００１】
本発明は、例えば閉鎖性水域に汚濁水が流入することを防止するために用いて好適な汚水流入防止装置に関する。
【背景技術】
【０００２】
例えば、河川の下流域に存在する閉鎖性水域では、豪雨時または豪雨後に上流から汚濁水が流入する。また、このような閉鎖性水域においては、水交換率が低いため、一度汚濁物が入ると、長期間水域内で滞留することになる。
【０００３】
そして、閉鎖性水域の水質を良好な状態で維持するためには、直接的な浄化を実施することが水質改善を行う手段としては有効であるが、莫大な水量を処理することが必要になるため、容易に実施することはできない（例えば、特許文献１、特許文献２、特許文献３参照）。
【０００４】
また、閉鎖性水域に汚濁水が進入すること自体を防ぎ、閉鎖性水域の汚濁を防止する手法を講じることも考えられる。例えば、オイルフェンスなど直接的に汚濁水が侵入するのを防ぐ手法が挙げられる。
【先行技術文献】
【特許文献】
【０００５】
【特許文献１】特開２００４−２６１６４２号公報
【特許文献２】特開２０１１−４１８７１号公報
【特許文献３】特開２００６−２３９６６７号公報
【発明の概要】
【発明が解決しようとする課題】
【０００６】
しかしながら、オイルフェンスのような直接的に流入を阻止する場合には、使用していないときのフェンスの保管場所が必要になり、また、波の影響によってオイルフェンスの上部から汚濁水が侵入する可能性があり、完全に汚濁水を遮断することができない。さらに、オイルフェンスによって景観を損なうなどの問題がある。
【０００７】
本発明は、上記事情に鑑み、閉鎖性水域に汚濁水が流入することを防止するために用いて好適な汚水流入防止装置を提供することを目的とする。
【課題を解決するための手段】
【０００８】
上記の目的を達するために、この発明は以下の手段を提供している。
【０００９】
本発明の汚水流入防止装置は、水面に浮かぶ浮島と、前記浮島に上端側を固着して水中に配設される水中カーテンと、前記水中カーテンの下端側を水底側に配した状態で保持するための水中カーテン下部保持手段と、前記浮島を牽引し、前記水中カーテンで汚水の流入口を遮断又は解放するように移動させる牽引手段とを備えることを特徴とする。
【発明の効果】
【００１０】
本発明の汚水流入防止装置においては、浮島で水中カーテンが水中に垂設されるとともにその下端側が水中カーテン下部保持手段によって水底側に配されるように保持されている。これにより、牽引手段によって浮島を牽引して移動させることにより、汚濁水などの汚水の流入を防止する際には水中カーテンで流入口を遮断し、流入防止が不要なときには浮島とともに水中カーテンを移動させて流入口を解放することができる。
【００１１】
よって、未利用時の保管が容易で、且つ必要時に容易に利用することができる。また、浮島を水中カーテンのフロートのように用いているため、波による汚水の侵入を非常に少なくすることできる。さらに、浮島は、植栽を施すなどして自然と調和させることができ、景観を損なうおそれがない。さらに、潮汐にも対応可能である。
【００１２】
そして、この汚水流入防止装置を閉鎖性水域に設ければ、降雨の影響による急激な汚濁を好適に防止することが可能になる。
【図面の簡単な説明】
【００１３】
【図１】本発明の一実施形態に係る汚水流入防止装置を示す平面図であり、流入口を解放した状態を示す図である。
【図２】本発明の一実施形態に係る汚水流入防止装置を示す正面図であり、流入口を解放した状態を示す図である。
【図３】本発明の一実施形態に係る汚水流入防止装置を示す側面図であり、流入口を解放した状態を示す図である。
【図４】本発明の一実施形態に係る汚水流入防止装置を示す平面図であり、流入口を遮断した状態を示す図である。
【図５】本発明の一実施形態に係る汚水流入防止装置を示す正面図であり、流入口を遮断した状態を示す図である。
【発明を実施するための形態】
【００１４】
以下、図１から図５を参照し、本発明の一実施形態に係る汚水流入防止装置について説明する。
【００１５】
本実施形態は、例えば閉鎖性水域に汚濁水が流入することを防止するために用いて好適な汚水流入防止装置に関するものである。
【００１６】
具体的に、本実施形態の汚水流入防止装置Ａは、浮島フェンスであり、図１から図５に示すように、浮力によって水面上に浮かぶ浮島１と、浮島１の下部に上端側を接続し、水中に垂設される（水深方向に配設される）メッシュなどの水中カーテン２とを備えて構成されている。
【００１７】
また、水底に設けられ、水中カーテン２の下端側を水底側に配した状態で、且つスライド自在に保持する水中カーテン下部保持手段３と、浮島１を牽引し、水中カーテン２で汚水の流入口４を遮断又は解放するように移動させる牽引手段（不図示）とを備えている。
【００１８】
浮島１は、植栽を施すなどして自然に調和するように形成されている。また、ろ過層１ａを備え、周囲の水から汚濁物を除去可能に構成されている。
【００１９】
また、牽引手段としては、浮島１を引っ張って移動させることが可能であれば、あらゆる手段を適用することができる。例えば、浮島１に接続したロープ、ワイヤー、ウィンチなどを牽引手段として用いた場合には、ロープなどを人力で引っ張って浮島１を移動させたり、ウィンチでロープ、ワイヤーを巻き取って浮島１を移動させることができる。
【００２０】
そして、上記構成からなる本実施形態の汚水流入防止装置Ａは、例えば閉鎖性水域に水が流入する流入口４に設置され、降雨の影響がないとき、図１から図３に示すように閉鎖性水域の流入口４を解放するように流入口４付近に保管し、降雨の影響がある（汚水／汚濁水の侵入の可能性がある）と判断されたとき、図４、図５に示すように浮島１を牽引手段で移動し、浮島１で浮力を確保しつつ水中カーテン２で汚水の流入口４を閉じるように設置する。
【００２１】
より具体的に、まず、汚水流入防止装置Ａを使用しないときの保管場所について説明する。
汚水流入防止装置Ａを保管しておく際には、図１から図３に示すように、浮島１とともに水中カーテン２を牽引手段を用いて流入口４から退避させる。そして、浮島１を浮かべ、水中カーテン２を水中に残しておくようにして水上保管する。
【００２２】
これにより、浮島１のみが水面上に露出することになり、汚水流入防止装置Ａによって景観を損なうことがない。また、浮島１に植栽、デザインなどを施し自然に調和するようにしておくことで確実に景観を損なうおそれがない。なお、感潮域など塩分の影響がある水域においても塩耐性のある植生を施せば対応が可能である。
【００２３】
そして、閉鎖性水域の流入口４付近の水上に保管されるため、汚水流入防止装置Ａの利用時には、図４及び図５に示すように、牽引手段を用いて浮島１を引っ張るだけで容易に水中カーテン２によって流入口４を閉じることができ、汚水流入防止策を講じることができる。さらに、船の航行があるような場合には、その都度、浮島１を引っ張りながら水中カーテン２を流入口４から移動させ、容易に対応することができる。
【００２４】
次に、波の影響などにより上部からの汚水の侵入防止について説明する。
浮島１がある程度の幅（図ではｙ方向）を備えて形成されていれば、波によって浮島１を超えて直接流入することを少なくすることができる。また、汚濁物がゴミや木くずなどの比較的大きな漂流物である場合には、浮島１のろ過層１ａによってろ過して容易に流入を阻止することができる。さらに、水中カーテン２を通水可能なメッシュ素材にすることで、漂流物等の流入を阻止することが可能である。
【００２５】
一方、汚濁物が比較的小さなもの（浮遊物粒子）である場合は、ろ過層１ａの濾材を径の小さなものにすることで対処することができる。但し、対象とする閉鎖性水域が感潮域の場合や水位が急激に変動する場合などにおいては、径の小さな濾材を実装した浮島１では対応ができなくなるおそれもある。このため、このような場合には、濾材の径を大きくして対応したり、ゴミなどの漂流物のみを対象にすることが望ましい。
【００２６】
したがって、本実施形態の汚水流入防止装置Ａにおいては、浮島１で水中カーテン２が水中に垂設されるとともにその下端側が水中カーテン下部保持手段３によって水底側に配されるように保持されている。これにより、牽引手段によって浮島１を牽引して移動させることにより、汚濁水などの汚水の流入を防止する際には水中カーテン２で流入口４を遮断し、流入防止が不要なときには浮島１とともに水中カーテン２を移動させて流入口４を解放することができる。
【００２７】
よって、未利用時の保管が容易で、且つ必要時に容易に利用することができる。また、浮島１を水中カーテン２のフロートのように用いているため、波による汚水の侵入を非常に少なくすることできる。さらに、浮島１は、植栽を施すなどして自然と調和させることができ、景観を損なうおそれがない。さらに、潮汐にも対応可能である。また、浮島１にろ過層１ａを設けることによって、汚水（汚濁水）をろ過することができる。
【００２８】
そして、この汚水流入防止装置Ａを閉鎖性水域に設ければ、降雨の影響による急激な汚濁を好適に防止することが可能になる。
【００２９】
以上、本発明に係る汚水流入防止装置の一実施形態について説明したが、本発明は上記の実施形態に限定されるものではなく、その趣旨を逸脱しない範囲で適宜変更可能である。
【００３０】
例えば、本実施形態では、閉鎖性水域の水の流入口４に汚水流入防止装置Ａを設置するものとしたが、閉鎖性水域に限らず、汚濁物などが流入し得る水の流入口４に本発明の汚水流入防止装置を適用してもよい。
【００３１】
また、本実施形態では、汚水が汚濁物を含む水であるものとして説明を行ったが、汚濁物以外の物質を含む水に対し、この物質を捕捉、分解して浄化するために本発明の汚水流入防止装置を適用してもよい。
【符号の説明】
【００３２】
１    浮島
１ａ  ろ過層
２    水中カーテン
３    水中カーテン下部保持手段
４    流入口
Ａ    汚水流入防止装置
【図１】
2017087148.tif 000003
【図２】
2017087148.tif 000004
【図３】
2017087148.tif 000005
【図４】
2017087148.tif 000006
【図５】
2017087148.tif 000007